(57)【特許請求の範囲】
【請求項１】
シートを搬送可能な装置に対して給送されるシートを載置するトレイであって、
シートが積層して載置される載置面を備えた底板と、
上記底板に対して、シートの給送向きに沿った第１方向と直交する第２方向に沿ってスライド可能に装着されたサイドガイドと、を備え、
上記サイドガイドは、
上記載置面に沿って拡がり且つ上記載置面に当接して支持されるスライド板と、
上記スライド板から積層方向に立設され且つ上記第１方向に沿って延設されており、上記載置面に載置されたシートの上記第２方向における端部と当接する側板と、
上記サイドガイドをスライドさせるために把持される操作部と、を備え、
上記底板は、
上記第１方向において上記操作部と異なる位置であって上記第２方向に沿って形成されており、上記スライド板と当接して上記サイドガイドを上記第２方向へ案内する案内部と、
上記第１方向における上記操作部の形成された範囲において、上記載置面から立設され且つ上記第２方向に延設されており、上記載置面と対向する上記スライド板の下面と当接する第１リブと、を備え、
上記スライド板の上記第２方向の端部のうちの少なくとも一部には、上記第１方向に対して傾斜した傾斜部が形成されており、
上記傾斜部の上記第１方向の一方の第１端部は、上記第１方向において上記第１リブよりも上記案内部側に位置しており、他方の第２端部は、上記第１方向において上記第１リブよりも上記案内部と反対側に位置しているトレイ。
【請求項２】
上記底板は、
上記第１リブよりも上記案内部側において、上記載置面から立設され且つ上記第２方向に沿って延設された第２リブを更に備えており、
上記第１端部は、上記第１方向において上記第２リブよりも上記案内部側に位置している請求項１に記載のトレイ。
【請求項３】
上記第２リブは、上記載置面と対向する上記スライド板の下面と当接し、
上記第１リブ及び上記第２リブのうちの一方のリブは、他方のリブよりも高く形成されている請求項２に記載のトレイ。
【請求項４】
上記サイドガイドは、上記第２方向に隔てられた一対で形成されており、
上記操作部は、一対の上記サイドガイドのうちの少なくとも一方に設けられており、
上記案内部の各々は、上記第１方向において異なる位置に設けられ、
上記サイドガイドは、上記第２方向に沿って延設され、上記案内部と当接し上記案内部に上記第２方向への移動を案内される被案内部を備え、上記被案内部には、上記第２方向に沿ってラックが形成されており、
上記底板に回転可能に取り付けられており、上記ラックの双方と噛合可能なピニオンを更に備え、
上記ピニオンは、上記給送向き側において一対の上記被案内部の一方に形成されたラックと噛合され、且つ上記給送向きと反対側において一対の上記被案内部の他方に形成されたラックと噛合されており、
上記第１リブは、一対の上記スライド板の双方の下面と当接する請求項１から３のいずれかに記載のトレイ。
【請求項５】
上記載置面には、載置可能な各サイズのシートについて、シートの上記第１方向における端の位置を示す表示部が設けられており、
上記第１リブは、上記表示部と兼用されている請求項１から４のいずれかに記載のトレイ。
【請求項６】
上記第１リブは、上記第２方向に対して上記載置面に沿って交差した第３方向に沿って延設されており、
上記第１リブと上記傾斜部とがなす交差角度の鋭角側と鈍角側の角度差は、上記第２方向と上記傾斜部とがなす交差角度の鋭角側と鈍角側の角度差よりも大きい請求項１から５のいずれかに記載のトレイ。
【請求項７】
上記第２リブは、上記第２方向に対して上記載置面に沿って交差した第４方向に沿って延設されており、
上記第２リブと上記傾斜部とがなす交差角度の鋭角側と鈍角側の角度差は、上記第２方向と上記傾斜部とがなす交差角度の鋭角側と鈍角側の角度差よりも大きい請求項１から６のいずれかに記載のトレイ。
【請求項８】
上記側板は、上記スライド板の上記第２方向における一端側から立設し、
上記操作部は、上記スライド板の上記第２方向における中途部から上記一端側に向かって上記スライド板に沿って延び、上記第２方向において上記スライド板と上記側板とが交差する位置から、上記側板におけるシートの上記第２方向の端部と当接する面とは反対の面側へ立設して形成され、上記スライド板側の端部を中心に弾性変形可能であり、
上記操作部の上記底板と対向する位置には、上記底板に対して係合し上記サイドガイドのスライドをロックするロック部が形成され、
上記ロック部は、上記操作部が弾性変形することにより、上記底板から離間するように形成され、
上記傾斜部は、上記スライド板の上記第２方向における他端側に形成される請求項１から７のいずれかに記載のトレイ。
【請求項９】
請求項１から８のいずれかに記載のトレイと、上記トレイから給送されたシートに画像を記録する記録部と、を備えた画像記録装置。
【発明の詳細な説明】
【技術分野】
【０００１】
本発明は、シートを載置可能なトレイ、及び当該トレイを備えた画像記録装置に関する。
【背景技術】
【０００２】
内部においてシートを搬送可能な装置がある。当該装置の一例としては、複写機やプリンタなどの画像記録装置がある。画像記録装置には、シートを堆積状態で収容可能であって画像記録装置に対して進退動可能なトレイを備えているものがある。トレイには、堆積されたシートの幅方向の側端を揃えて給送時の斜行を防止するためのサイドガイドが、シートの搬送方向に沿って延設されていることが多い。トレイには、様々なサイズのシートを収容可能なものがある。このようなトレイに設けられたサイドガイドは、様々なサイズのシートの収容に対応するために、トレイにおけるシートの載置面上をシートの幅方向に沿ってスライド可能に構成されている。通常、サイドガイドには操作部が取り付けられており、ユーザが上側から操作部を把持することによって、サイドガイドはスライドされる。
【０００３】
しかし、サイドガイドがスライドされる際、サイドガイドの下面がシートの載置面に擦れることによって摩擦抵抗を生じ、サイドガイドをスムーズに移動させることができないおそれがある。上記問題を防止するために、特許文献１に記載の給紙トレイでは、底面部にサイドガイドのスライド方向に沿ったリブが形成されている。これにより、サイドガイドがスライドされる際に、摩擦抵抗が発生する部分がリブの当接部分に限定されるため、発生する摩擦抵抗を低く抑えることができる。
【先行技術文献】
【特許文献】
【０００４】
【特許文献１】特開２００８−１４３６３０号公報
【発明の概要】
【発明が解決しようとする課題】
【０００５】
サイドガイドがトレイに支持される箇所、つまりサイドガイドの下部には、サイドガイドをスライドさせるための移動機構が設けられている。移動機構と操作部とは、シートの搬送方向において離れた位置に形成されることがある。
【０００６】
サイドガイドがスライドされる際に操作部が上側から操作されると、サイドガイドのスライド方向先端部分が載置面やリブに押しつけられる。さらに、移動機構と操作部とが、シートの搬送方向、つまりサイドガイドの延設方向において離れた位置に形成されていると、サイドガイドは、スライド向きへ作用する力によってその下部に設けられている移動機構を中心として回動してしまう。これにより、サイドガイドの下面のうち、サイドガイドのスライド向きの先端部分が載置面やリブにさらに押しつけられる。すると、載置面から当該先端部分の向き、つまり上向きに垂直効力が発生し、サイドガイドと載置面及びリブとの間の摩擦抵抗が増加する。その結果、載置面にリブが設けられていても、サイドガイドをスライドさせることができないおそれがある。
【０００７】
本発明は、上記問題に鑑みてなされたものであり、その目的は、トレイに収容されたシートの側端を揃えるサイドガイドを、シートの幅方向に沿ってスムーズに移動させることができる手段を提供することにある。
【課題を解決するための手段】
【０００８】
(1)  本発明は、シートを搬送可能な装置に対して給送されるシートを載置するトレイである。上記トレイは、シートが積層して載置される載置面を備えた底板と、上記底板に対して、シートの給送向きに沿った第１方向と直交する第２方向に沿ってスライド可能に装着されたサイドガイドと、を備える。上記サイドガイドは、上記載置面に沿って拡がり且つ上記載置面に当接して支持されるスライド板と、上記スライド板から積層方向に立設され且つ上記第１方向に沿って延設されており、上記載置面に載置されたシートの上記第２方向における端部と当接する側板と、上記サイドガイドをスライドさせるために把持される操作部と、を備える。上記底板は、上記第１方向において上記操作部と異なる位置であって上記第２方向に沿って形成されており、上記スライド板と当接して上記サイドガイドを上記第２方向へ案内する案内部と、上記第１方向における上記操作部の形成された範囲において、上記載置面から立設され且つ上記第２方向に延設されており、上記載置面と対向する上記スライド板の下面と当接する第１リブと、を備える。上記スライド板の上記第２方向の端部のうちの少なくとも一部には、上記第１方向に対して傾斜した傾斜部が形成されている。上記傾斜部の上記第１方向の一方の第１端部は、上記第１方向において上記第１リブよりも上記案内部側に位置しており、他方の第２端部は、上記第１方向において上記第１リブよりも上記案内部と反対側に位置している。
【０００９】
上述の構成においては、載置面に第１リブが設けられているため、サイドガイドがスライドされる際に、摩擦抵抗が発生する部分がスライド板と第１リブとの当接部分に限定されるため、発生する摩擦抵抗を低く抑えることができる。
【００１０】
また、上述の構成においては以下の効果も奏する。つまり、操作部が上側から操作されると、サイドガイドは、案内部を中心としてスライド向きに回動するおそれがある。サイドガイドが回動すると、スライド板の下面におけるスライド向きの先端部分が、載置面から立設された第１リブに押しつけられる。
【００１１】
しかし、上述の構成においては、当該先端部分には傾斜部が形成されている。これにより、サイドガイドが回動した際に、当該先端部分、つまり傾斜部は、その全てが同時に第１リブに押しつけられるのではなく、第１端部から第２端部への順序或いは第２端部から第１端部への順序で第１リブに押しつけられる。詳細には、サイドガイドが回動する初期段階では傾斜部の一部のみが第１リブに押しつけられ、その後、第１リブに押しつけられる範囲が増大していく。よって、サイドガイドがスライドされる際に、摩擦抵抗が発生する範囲が小さくなり、シートの幅方向に沿ってスムーズに移動させることができる。
【００１２】
(2)  上記底板は、上記第１リブよりも上記案内部側において、上記載置面から立設され且つ上記第２方向に沿って延設された第２リブを更に備えている。上記第１端部は、上記第１方向において上記第２リブよりも上記案内部側に位置している。
【００１３】
底板に第１リブのみが備えられている場合、第１リブに当接されているスライド板は、支点が一つであるために不安定となる。これにより、スライド板の下面は、第１リブ以外の箇所において、載置面に当接してしまうおそれがある。しかし、上述の構成においては、第１リブに加えて第２リブを備えているため、二つの支点でスライド板を安定させることができる。また、第２リブは、第１リブよりも案内部側において延設されているため、スライド板は、第１リブに加えて、回動方向のネジレの中心となる案内部に近い第２リブに支持されることになり、より安定性が増す。また、追加するリブが最小限に抑えられているため、サイドガイドがスライドされる際に、摩擦抵抗が発生する範囲を小さくことができる。
【００１４】
(3)  上記第１リブ及び上記第２リブのうちの一方のリブは、他方のリブよりも高く形成されている。
【００１５】
スライド板は、第１リブ及び第２リブによって支持されている場合、第１リブ及び第２リブを支点として弓状に変形するおそれがある。この場合、スライド板は、第１リブと第２リブの間において、その下面が載置面に当接するおそれがある。しかし、上述の構成においては、第１リブ及び第２リブの高さに差がある。これにより、スライド板が弓状に変形した場合に、スライド板の下面が載置面に当接する面積を、第１リブ及び第２リブの高さに差がない場合よりも、小さくすることができる。
【００１６】
(4)  上記サイドガイドは、上記第２方向に隔てられた一対で形成されている。上記操作部は、一対の上記サイドガイドのうちの少なくとも一方に設けられている。上記案内部の各々は、上記第１方向において異なる位置に設けられている。上記サイドガイドは、上記第２方向に沿って延設され、上記案内部と当接し上記案内部に上記第２方向への移動を案内される被案内部を備える。上記被案内部には、上記第２方向に沿ってラックが形成されている。上記トレイは、上記底板に回転可能に取り付けられており、上記ラックの双方と噛合可能なピニオンを更に備える。上記ピニオンは、上記給送向き側において一対の上記案内部の一方に形成されたラックと噛合され、且つ上記給送向きと反対側において一対の上記案内部の他方に形成されたラックと噛合されている。上記第１リブは、一対の上記スライド板の双方の下面と当接する。
【００１７】
これにより、一対のサイドガイドを有し、シートの幅方向の中心をトレイの幅方向の中心と合わせる構成のトレイにおいても、サイドガイドがスライドされる際に、スライド板と載置面との間に発生する摩擦抵抗を低く抑えることができる。
【００１８】
(5)  上記載置面には、載置可能な各サイズのシートについて、シートの上記第１方向における端の位置を示す表示部が設けられている。上記第１リブは、上記表示部と兼用されている。これにより、載置面に、第１リブとは別個に表示部を設ける必要がなくなる。
【００１９】
(6)  上記第１リブは、上記第２方向に対して上記載置面に沿って交差した第３方向に沿って延設されている。上記第１リブと上記傾斜部とがなす交差角度の鋭角側と鈍角側の角度差は、上記第２方向と上記傾斜部とがなす交差角度の鋭角側と鈍角側の角度差よりも大きい。
【００２０】
上述の構成においては、第１リブと傾斜部との交差角度の鋭角側の角度が小さい。これにより、サイドガイドがスライドされる際に、第１リブと傾斜部との間に生じる摩擦抵抗を小さくすることができる。
【００２１】
(7)  上記第２リブは、上記第２方向に対して上記載置面に沿って交差した第４方向に沿って延設されている。上記第２リブと上記傾斜部とがなす交差角度の鋭角側と鈍角側の角度差は、上記第２方向と上記傾斜部とがなす交差角度の鋭角側と鈍角側の角度差よりも大きい。これにより、第２リブを備えた構成の場合でも、上述の（６）と同様の効果を得ることができる。
【００２２】
(8)  上記側板は、上記スライド板の上記第２方向における一端側から立設している。上記操作部は、上記スライド板の中途部から上記一端側に向かって上記スライド板に沿って延び、上記一端側から上記側板に沿って立設して形成され、上記スライド板側の端部を中心に弾性変形可能である。上記操作部の上記底板と対向する位置には、上記底板に対して係合し上記サイドガイドのスライドをロックするロック部が形成されている。上記ロック部は、上記操作部が弾性変形することにより、上記底板から離間するように形成されている。上記傾斜部は、上記スライド板の上記第２方向における他端側に形成されている。
【００２３】
上述の構成においては、操作部には底板に係合するロック部が形成されており、ユーザは、サイドガイドを移動するために、ロック部が底板から離間するように操作部を操作する。その結果、操作部が形成されているスライド板の一端側に対して他端側が載置面やリブに押しつけられる。従って、他端側に傾斜部を形成することで、円滑にサイドガイドを移動させることが可能となる。
【００２４】
(9)  本発明は、上記トレイと、上記トレイから給送されたシートに画像を記録する記録部と、を備えた画像記録装置として捉えることもできる。
【発明の効果】
【００２５】
本発明においては、スライド板が第１リブと当接する部分には、傾斜部が形成されているため、サイドガイドのスライドに伴ってサイドガイドが回動しても、その初期段階では傾斜部の一部のみが第１リブに押しつけられる。よって、サイドガイドがスライドされる際に、摩擦抵抗が発生する範囲が小さくなる。これにより、発生する摩擦抵抗を低く抑えることができるため、サイドガイドを第２方向に沿ってスムーズに移動させることができる。
【図面の簡単な説明】
【００２６】
【図１】図１は、本発明の実施形態の一例である複合機１０の斜視図である。
【図２】図２は、プリンタ部１１の内部構造を模式的に示す縦断面図である。
【図３】図３は、給紙トレイ２２の斜視図である。
【図４】図４は、排紙トレイ２３を外した状態の給紙トレイ２２の斜視図である。
【図５】図５は、排紙トレイ２３を外した状態の給紙トレイ２２の平面図である。
【図６】図６は、サイドガイド７７と第１リブ１２４と第２リブ１２５を模式的に示す平面図であり、（Ａ）には第１リブ１２４が第３方向に延設され第２リブ１２５が第４方向に延設された状態が示されており、（Ｂ）には第１リブ１２４と第２リブ１２５が左右方向９に延設された状態が示されている。
【発明を実施するための形態】
【００２７】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。また、給紙トレイ２１，２２については、複合機１０に装着された状態（図１の状態）を基準として、上下方向７、前後方向８及び左右方向９を定義する。
【００２８】
［複合機１０の概略構成］
図１に示されるように、複合機１０は、直方体に概ね形成されており、上部にスキャナ部１２、下部にインクジェット記録方式のプリンタ部１１（本発明の装置の一例、及び当該装置としての画像記録装置の一例）が設けられている。複合機１０は、ファクシミリ機能及びプリント機能などの各種の機能を有している。なお、プリント機能以外の機能の有無は任意である。
【００２９】
プリンタ部１１の正面側に開口１３が形成されている。プリンタ部１１は、給紙トレイ２１，２２（本発明のトレイの一例）と、記録部４０（本発明の記録部の一例、図２参照）とを備えている。プリンタ部１１は、開口１３を通じて、給紙トレイ２１及び給紙トレイ２２を前後方向８に挿抜可能である。なお、プリンタ部１１は、トレイ２１，２２がスライドしないように構成されていてもよい。例えば、トレイ２１，２２がプリンタ部１１に固定されていてもよい。また、トレイ２１，２２は、プリンタ部１１から中途まで引き出し可能な構成、換言するとプリンタ部１１から完全には脱抜されない構成であってもよい。
【００３０】
図２に示されるように、給紙トレイ２１，２２には、記録用紙５０（本発明のシートの一例）が載置される。プリンタ部１１においては、記録用紙５０が、給紙トレイ２１又は給紙トレイ２２からプリンタ部１１内へ選択的に供給される。供給された記録用紙５０は、記録部４０によって画像が記録された後に給紙トレイ２２の上面２３に排出される。上面２３は、排紙トレイ２３として機能する。
【００３１】
図１及び図２に示されるように、給紙トレイ２１と給紙トレイ２２とは、給紙トレイ２２を上側として上下二段に配置されている。２つの給紙トレイ２１，２２が設けられることによって、それぞれにサイズや紙種が異なる記録用紙５０が保持され得る。給紙トレイ２１，２２については後に詳述される。
【００３２】
［搬送路１７，１８，１９及び供給部２８，３８］
図２に示されるように、給紙トレイ２２の傾斜板２４の上側には、湾曲状に形成された搬送路１８が設けられている。プリンタ部１１に給紙トレイ２２が装着されると、傾斜板２４が搬送路１８の下方に配置され、かつ給紙トレイ２２の上側に第１供給部２８が配置される。第１供給部２８は、給紙ローラ２５、アーム２６及び軸２７を有している。給紙ローラ２５は、アーム２６の先端側に回転可能に設けられている。アーム２６は、プリンタ部１１の筐体に支持された軸２７に回動可能に設けられている。アーム２６は、自重によって或いはバネ等による弾性力を受けて給紙トレイ２２側へ回動付勢されている。第１供給部２８は、給紙トレイ２２から記録用紙５０をピックアップして傾斜板２４を介して搬送路１８に給送する。第２供給部３８は、第１供給部２８と同様の構成である。つまり、第２供給部３８は、給紙ローラ３５、アーム３６及び軸３７を有しており、給紙トレイ２１から記録用紙５０をピックアップして傾斜板３４を介して搬送路１７に給送する。
【００３３】
プリンタ部１１の内部には、搬送路１７及び搬送路１８と連続する搬送路１９が設けられている。搬送路１９は、搬送路１７又は搬送路１８に沿って搬送された記録用紙５０が搬送される経路であり、搬送路１７と搬送路１８とが合流する位置から複合機１０の正面側へ向けて給紙トレイ２２の排紙トレイ２３の上方まで延出されている。
【００３４】
［記録部４０］
図２に示されるように、記録部４０は、記録ヘッド４２を搭載して主走査方向（図２の紙面に垂直な方向）へ往復移動するキャリッジ４１を備えている。記録ヘッド４２には、インクカートリッジ（不図示）からシアン（Ｃ）・マゼンタ（Ｍ）・イエロー（Ｙ）・ブラック（Ｂｋ）の各色インクが供給される。記録ヘッド４２は、その下面に設けられたノズルから、各インクを微小なインク滴として吐出する。キャリッジ４１が主走査方向へ往復動することにより、記録ヘッド４２が記録用紙５０に対して走査され、記録部４０の下方に記録部４０と対向して設けられているプラテン４３上を搬送される記録用紙５０に画像が記録される。プラテン４３は、搬送路１９に沿って搬送される記録用紙５０を支持する部材である。
【００３５】
［搬送ローラ対５９及び排出ローラ対６４］
図２に示されるように、記録部４０よりも記録用紙５０の搬送向き６の上流側に搬送ローラ対５９が設けられている。搬送ローラ対５９は、搬送ローラ６０及びピンチローラ６１からなる。搬送ローラ６０は、搬送路１９の上側に配置されており、搬送モータ（不図示）からの駆動力を受けて回転する。ピンチローラ６１は、搬送路１９を挟んで搬送ローラ６０の下側に回転自在に配置されており、搬送ローラ６０へ向けてバネによって付勢されている。
【００３６】
記録部４０よりも記録用紙５０の搬送向き６の下流側に排出ローラ対６４が設けられている。排出ローラ対６４は、排紙ローラ６２及び拍車６３からなる。排紙ローラ６２は、搬送路１９の下側に配置されており、上記搬送モータからの駆動力を受けて回転する。拍車６３は、搬送路１９を挟んで排紙ローラ６２の上側に回転自在に配置されており、排紙ローラ６２へ向けてバネによって付勢されている。
【００３７】
給紙トレイ２１または給紙トレイ２２から第１供給部２８または第２供給部３８によって前側から後側の向き（本発明の給送向きに相当）に給送された記録用紙５０は、搬送ローラ対５９によって記録部４０へ案内され、記録部４０で画像が記録される。その後、排出ローラ対６４によって給紙トレイ２２の排紙トレイ２３に排出される。
【００３８】
［給紙トレイ２１，２２］
図１及び図２に示されるように、給紙トレイ２１，２２は、プリンタ部１１に装着された状態において、記録部４０の下方に配置されている。給紙トレイ２１，２２は、傾斜板２４、３４が設けられている側を先端として、後向きに開口１３に挿し込まれることでプリンタ部１１に装着される（図１及び図２の状態）。これにより、給紙トレイ２１，２２に収容された記録用紙５０がプリンタ部１１の搬送路１７，１８へ供給可能となる。給紙トレイ２１，２２は、上記先端と反対側の後端から前向きに開口１３から引き出されることでプリンタ部１１から取り出される。これにより、給紙トレイ２１，２２への記録用紙５０の補充が可能となる。給紙トレイ２１及び給紙トレイ２２は、同様の構成を有している。このため、以下においては、給紙トレイ２２の構成について説明し、給紙トレイ２１の構成についてはその説明を省略する。
【００３９】
図３に示されるように、給紙トレイ２２は、平面視で前後方向８へ長い矩形の皿状に概ね形成されている。給紙トレイ２２は、第１トレイ本体７１と排紙トレイ２３とを備えている。なお、前後方向８は、本発明の第１方向に相当する。
【００４０】
［第１トレイ本体７１］
図３及び図４に示されるように、第１トレイ本体７１は、記録用紙５０が積層して載置される載置面７６（本発明の載置面に相当）を有する底板７５（本発明の底板の一例）と、底板７５の後端から立設された傾斜板２４（図３には不図示）と、底板７５の左右方向９（本発明の第２方向に相当）の両端から立設された側壁８１と、を備えている。
【００４１】
側壁８１は、前後方向８へ延びるように設けられている。傾斜板２４は、第１トレイ本体７１の左右方向９に長い板状部材である。なお、底板７５については後段において更に詳述される。
【００４２】
図３及び図４に示されるように、底板７５の載置面７６に、一対のサイドガイド７７とリヤガイド８０とが装着されている。一対のサイドガイド７７は、底板７５の左右方向９の中央から右側と左側に、相互に離間されて設けられている。サイドガイド７７は底板７５に対して左右方向９へスライド可能に構成されており、リヤガイド８０は底板７５に対して前後方向８へスライド可能に構成されている。給紙トレイ２２に記録用紙５０が収容された状態で、サイドガイド７７が左右方向９へスライドされると、サイドガイド７７が記録用紙５０の左右方向９の側端に当接する。また、給紙トレイ２２に記録用紙５０が収容された状態で、リヤガイド８０が前後方向８へスライドされると、リヤガイド８０が記録用紙５０の前端に当接する。これにより、記録用紙５０の側端及び前端がサイズに応じた位置に規制される。
【００４３】
なお、本実施形態では、サイドガイド７７が一対である構成について説明するが、サイドガイド７７は一対ではなく一つであってもよい。この場合、記録用紙５０の一方の側端はサイドガイド７７に当接され、記録用紙５０の他方の側端は側壁８１に当接されることにより、記録用紙５０の側端がサイズに応じた位置に規制される。また、サイドガイド７７については後段において更に詳述される。
【００４４】
［排紙トレイ２３］
図３に示されるように、排紙トレイ２３は、第２トレイ本体９５を有する。第２トレイ本体９５は、平面視で左右方向９へ長い矩形に概ね形成されている。第２トレイ本体９５は、リンク１３０を介して第１トレイ本体７１に連結されている。リンク１３０は、第１側壁８１から上方へ突設されており、突端付近に支持孔１３８が設けられている。また、本実施形態において、リンク１３０は、第１トレイ本体７１における前後方向８の概ね中央から突設されている。第２トレイ本体９５の後端の両側には、左右方向９の外側へ突出する軸９１が設けられている。軸９１は、支持孔１３８に挿通される。これにより、第２トレイ本体９５は、リンク１３０によって回転可能に支持され、軸９１を中心として、図３の矢印１４０の方向に回動される。
【００４５】
排紙トレイ２３が第１トレイ本体７１に対して倒伏された状態（図３の状態）において、第１トレイ本体７１の上面のうちリンク１３０よりも前側の部分が、排紙トレイ２３によって覆われる。なお、排紙トレイ２３は、第１トレイ本体７１の上面の全部を覆うように構成されていてもよい。また、排紙トレイ２３が第１トレイ本体７１に対して上側に回動された状態においては、第１トレイ本体７１の上面が開放される。
【００４６】
［サイドガイド７７］
図４及び図５に示されるように、一対のサイドガイド７７は、前後方向８において傾斜板２４に近接する位置から中央より若干前側まで延設されており、載置面７６から上向きに立設されている。一対のサイドガイド７７の各々は、スライド板１０１（本発明のスライド板の一例）と、側板１０２（本発明の側板の一例）とを備え、一対のサイドガイド７７のうち、右側のサイドガイド７７は、操作部１０３（本発明の操作部の一例）を備えている。
【００４７】
スライド板１０１は、前後方向８及び左右方向９よりなる面に沿って拡がっており、その下面が載置面７６と当接することによって載置面７６に支持されている。また、スライド板１０１は、前後方向８の長さが左右方向９の長さよりも長い矩形に概ね形成されている。
【００４８】
側板１０２は、本実施形態において、スライド板１０１の外側の端部から立設されている。つまり、側板１０２は、一対のサイドガイド７７のうちの右側のサイドガイド７７に設けられたスライド板１０１の右端から立設されており、左側のサイドガイド７７に設けられたスライド板１０１の左端から立設されている。なお、側板１０２は、スライド板１０１の外側の端部以外、例えばスライド板１０１の左右方向９の中央部、或いはスライド板１０１の内側の端部から立設されていてもよい。
【００４９】
また、側板１０２は、スライド板１０１の上面から上向きに立設されている。つまり、側板１０２は、載置面７６に積層される記録用紙５０の積層方向（上下方向７）に沿って立設されている。また、側板１０２は、前後方向８に延設されている。また、側板１０２は、前後方向８の長さが上下方向７の長さよりも長い矩形に概ね形成されている。
【００５０】
［操作部１０３］
図４に示されるように、操作部１０３は、本実施形態において、一対のサイドガイド７７のうちの右側のサイドガイド７７を構成するスライド板１０１に形成されている。操作部１０３の前後方向８における位置は、スライド板１０１の前端に近い位置である。つまり、操作部１０３は、前後方向８において、後述するレール１０５及びレール溝１２１、１２２に対して、離れた位置に設けられている。
【００５１】
その理由は以下の通りである。近年、複合機１０などの画像記録装置のプリンタ部１１に設けられた給紙トレイ２１、２２は、小サイズから大サイズまでの記録用紙５０を収容可能に構成されている。そのため、給紙トレイ２１、２２に小サイズの記録用紙５０が収容される際、リアガイド８０は記録用紙５０の給送向き（前側から後側の向き）の下流側までスライドされる必要がある。これにより、レール１０５及びレール溝１２１、１２２は、リアガイド８０のスライド可能範囲よりも更に記録用紙５０の給送向きの下流側に配置される必要がある。これに対して、操作部１０３は、操作性向上の観点から、給紙トレイ２１、２２が装着されるプリンタ部１１の前面側に設けられることが多い。そして、当該前面側は、記録用紙５０の給送向きの上流側であることが多い。その結果、本実施形態において、レール１０５及びレール溝１２１、１２２と操作部１０３とは、前後方向８において離れた位置に形成されている。よって、上述したような本発明の課題（サイドガイド７７が、スライド向きへ作用する力によってその下部に設けられているレール１０５を中心として回動してしまう。）が生じやすい。
【００５２】
操作部１０３は、スライド板１０１の左右方向９の中央付近１１３（本発明の中途部に相当）から右端１１４（本発明の一端に相当）に向かってスライド板１０１に沿って延びており、スライド板１０１の右端１１４において屈曲して概ね側板１０２に沿って延びている。詳細には、操作部１０３はスライド板１０１の右端１１４から概ね上向き（正確には若干の右斜め上向き）に延びている。
【００５３】
操作部１０３は、スライド板１０１の左右方向９の中央付近１１３において、スライド板１０１に対して一体に取り付けられている。しかし、当該中央付近１１３以外において、操作部１０３とスライド板１０１及び側板１０２との間には、隙間が設けられている。これにより、操作部１０３は、当該中央付近１１３、つまりスライド板１０１側の端部を中心として、弾性変形可能である。
【００５４】
また、操作部１０３においてスライド板１０１に沿って延びた部分の下面に、底板７５に対向するロック部（本発明のロック部の一例、不図示）が設けられている。ロック部は、例えば当該下面から下向きに突設された突起であり、操作部１０３の下面から前後方向８に沿って二つ並べて形成されている。操作部１０３の直下に当たる部分には、後述する第１リブ１２４が形成されているため、２つの突起間は隙間が形成されている。また、載置面７６においてロック部と対向する部分に、左右方向９に沿って一定間隔で設けられた複数の凹部１０４が前後方向８において２列設けられている。操作部１０３の突起は、底板７５に形成された複数の凹部１０４に係合できるよう、スライド板１０１と底板７５との間隔よりも長く操作部１０３の下面から延びている。
【００５５】
ロック部は、ユーザによって把持されていない状態において、凹部１０４と係合している。これにより、サイドガイド７７の左右方向９に沿ったスライドがロックされる。一方、操作部１０３において概ね上向きに延びた部分がユーザによって把持されて左向きに回動されると、操作部１０３においてスライド板１０１に沿って延びた部分が上向きに弾性変形される。これにより、ロック部が底板７５から離間されて、ロック部と凹部１０４との係合が解除される。よって、サイドガイド７７は左右方向９に沿って移動可能となる。
【００５６】
なお、本実施形態では、操作部１０３が一対のサイドガイド７７のうちの右側のサイドガイド７７に設けられた構成について説明しているが、操作部１０３は左側のサイドガイド７７に設けられていてもよいし、両側のサイドガイド７７に設けられていてもよい。
【００５７】
［ラック１０７及びピニオン１０８］
図４に示されるように、右側のサイドガイド７７のスライド板１０１の下面に、左右方向９に延びるレール１０５がスライド板１０１と一体に設けられており、左側のサイドガイド７７のスライド板１０１に、左右方向９に延びるレール１０６がスライド板１０１と一体に設けられている。レール１０５、１０６は、本発明の被案内部の一例である。
【００５８】
レール１０５、１０６は、底板７５に設けられた後述するレール溝１２１、１２２（本発明の案内部の一例）と摺接される。これにより、レール１０５、１０６はレール溝１２１、１２２に沿って左右方向９に摺動可能である。つまり、サイドガイド７７はレール溝１２１、１２２に沿って左右方向９に摺動可能である。なお、レール１０５、１０６は、スライド板１０１よりも一段低くなるよう形成されており、レール溝１２１，１２２に嵌り込んで摺動する。
【００５９】
本実施形態では、右側のサイドガイド７７に設けられたレール１０５が、左側のサイドガイド７７に設けられたレール１０６よりも前側に配置されている。なお、レール１０５、１０６の前後方向８の位置関係は、これに限らない。
【００６０】
レール１０５の後側の側面とレール１０６の前側の側面に、歯、つまりラック１０７、１０８（本発明のラックの一例）が、左右方向９に沿って形成されている。また、底板７５の下面には、ピニオン１０９（本発明のピニオンの一例）が回転可能に取り付けられている。ピニオン１０９の前後方向８の位置は、レール１０５よりも後側かつレール１０６よりも前側である。
【００６１】
また、レール溝１２１、１２２の側面（左右方向９及び上下方向７に拡がる面）を構成する側壁（不図示）は、少なくともピニオン１０９が取り付けられている位置において設けられていない。これにより、当該位置において、ラック１０７、１０８がピニオン１０９と噛合される。換言すると、ピニオン１０９は、前側でラック１０７と噛合され、後側でラック１０８と噛合される。
【００６２】
ラック１０７及びピニオン１０８が以上のように構成されていることによって、サイドガイド７７の一方が第１トレイ本体７１の左右方向９へスライドされると、これに連動して、サイドガイド７７の他方が相反する方向へスライドされる。これにより、記録用紙５０の左右方向９の中央位置が給紙トレイ２２の左右方向９の中央に略一致する。
【００６３】
［底板７５］
図４及び図５に示されるように、上述したレール溝１２１、１２２、表示部１２３（本発明の表示部の一例）、第１リブ１２４（本発明の第１リブの一例）、及び第２リブ１２５（本発明の第２リブの一例）が、底板７５に形成されている。また、底板７５の下面に、上述したピニオン１０９が回転可能に取り付けられている。
【００６４】
レール溝１２１、１２２は、左右方向９に沿って形成されている。レール溝１２１は、底板７５の左右方向９の中央部よりも右側に形成され、レール溝１２２は、当該中央部よりも左側に形成されている。また、本実施形態では、当該中央部よりも右側に形成されたレール溝１２１が、当該中央部よりも左側に形成されたレール溝１２２よりも前側に配置されている。なお、レール溝１２１、１２２の前後方向８の位置関係は、これに限らない。また、レール溝１２１、１２２の溝形状は、レール１０５、１０６と相対する形状であり、上述したように、レール１０５がレール溝１２１に係合され、レール１０６がレール溝１２２に係合されている。これにより、レール１０５、１０６がレール溝１２１、１２２に沿って摺動され、サイドガイド７７が左右方向９に案内される。
【００６５】
［第１リブ１２４及び第２リブ１２５］
図４及び図５に示されるように、第１リブ１２４及び第２リブ１２５は、底板７５の載置面７６から上向きに立設されており、左右方向９に沿って延びる細幅の板状部材である。第１リブ１２４及び第２リブ１２５の上面は、スライド板１０１の下面と当接されている。
【００６６】
第１リブ１２４は、右側のサイドガイド７７に設けられた操作部１０３の下方において、左右方向９に延設されている。詳細には、操作部１０３の前後方向８における前端及び後端の間において、左右方向９に延設されている。その形成範囲は、図５に示すとおり、左右方向９において側壁８１の位置からリヤガイド８０を案内するレールが形成された位置までに亘って延びている。操作部１０３には、ロック部としての突起が形成されているため、突起と係合する凹部１０４が底板７５に２列形成されており、第１リブ１２４は、その２列の凹部１０４の前後方向８における中間位置に形成されている。第１リブ１２４は、底板７５からの立設高さが約０．５ｍｍであり、前後方向８における長さは、約１ｍｍに形成されている。
【００６７】
第２リブ１２５は、前後方向８において、第１リブ１２４よりも後側、つまりレール溝１２１、１２２が設けられている側に、第１リブ１２４と所定間隔を隔てて設けられている。第２リブ１２５の上下方向７の長さは、第１リブ１２４の上下方向７の長さよりも長い。つまり、第２リブ１２５は、第１リブ１２４よりも高く形成されている。第１リブ１２４及び第２リブ１２５の立設高さは、レール１０５、１０６によって案内されるサイドガイド７７の端部側が反り返らない程度に設定されている。換言すると、サイドガイド７７が第１リブ１２４と第２リブ１２５とに接触可能な程度の高さに、第１リブ１２４及び第２リブ１２５の立設高さが設定されている。
【００６８】
なお、本実施形態において、第１リブ１２４は、右側のサイドガイド７７の下方に設けられ、第２リブ１２５は、左右両側のサイドガイド７７の下方に設けられているが、第１リブ１２４は、左右両側または左側のサイドガイド７７の下方に設けられていてもよく、第２リブ１２５は、左右いずれかの側のサイドガイド７７の下方に設けられていてもよい。また、第１リブ１２４が第２リブ１２５よりも高く形成されていてもよく、第１リブ１２４と第２リブ１２５が同じ高さに形成されていてもよい。
【００６９】
［表示部１２３］
図４及び図５に示されるように、表示部１２３は、底板７５の載置面７６に溝などによって描かれた印であり、載置面７６に載置される記録用紙５０の前端を示す。本実施形態において、表示部１２３は、記録用紙５０の前端を示す左右方向９のラインと、当該ラインを指し示す三角印で構成されており、載置面７６の４箇所（１２３Ａ〜１２３Ｄ）に描かれている。前側に描かれた表示部１２３である程、大きい記録用紙５０の前端を示すものである。リヤガイド８０が当該ラインに合わせられることによって、記録用紙５０の前端が規制される。
【００７０】
また、本実施形態において、表示部１２３のうちの表示部１２３Ｂは、三角印のみで構成されており、左右方向９のラインを有していない。その代わり、第２リブ１２５が、表示部１２３Ｂの左右方向９のラインの役割を果たしている。つまり、第２リブ１２５が、表示部１２３Ｂの左右方向９のラインを兼用している。なお、第２リブ１２５の前後方向８の位置が図４よりも前側または後側にずらされることによって、第２リブ１２５が、他の表示部１２３（１２３Ａ、１２３Ｃまたは１２３Ｄ）の左右方向９のラインを兼用してもよい。また、第１リブ１２４が、左側のサイドガイド７７の下方に設けられている場合、第１リブ１２４が、表示部１２３Ａ〜１２３Ｄのうちのいずれかの左右方向９のラインを兼用してもよい。
【００７１】
［傾斜部１１０］
図４及び図５に示されるように、スライド板１０１は、前後方向８に長い矩形に概ね形成されている。そのため、スライド板１０１の左右方向９の端部は、概ね前後方向８に沿って延びている。しかし、右側のスライド板１０１の左端、及び左側のスライド板１０１の右端の少なくとも一部は、前後方向８に対して、前側である程、外側（右側のスライド板１０１の場合は右側で、左側のスライド板１０１の場合は左側）となるように傾斜している。当該傾斜しているスライド板１０１の左右方向９の端部が傾斜部１１０（本発明の傾斜部の一例）を構成している。なお、右側のスライド板１０１の左端が、本発明の他端に相当する。
【００７２】
前後方向８において、スライド板１０１の傾斜部１１０の後端１１１（本発明の第１端部に相当）は、第２リブ１２５よりも後方、換言すると第１リブ１２４及び第２リブ１２５よりもレール溝１２１、１２２側である。一方、スライド板１０１の傾斜部１１０の前端１１２（本発明の第２端部に相当）は、第１リブ１２４よりも前方である。つまり、第１リブ１２４及び第２リブ１２５は、傾斜部１１０と当接している。本実施例においては、傾斜部１１０は、前後方向８に沿った方向に対して約５度ずれて交差するよう傾斜している。
【００７３】
なお、スライド板１０１の傾斜部１１０は、前側である程、内側となるように傾斜していてもよい。また、スライド板１０１の傾斜部１１０は、右側のスライド板１０１の左端の代わりにまたは左端に加えて、右側のスライド板１０１の右端に形成されていてもよい。また、スライド板１０１の傾斜部１１０は、左側のスライド板１０１の右端の代わりにまたは右端に加えて、左側のスライド板１０１の左端に形成されていてもよい。
【００７４】
［実施形態の効果］
上述の実施形態においては、載置面７６に第１リブ１２４が設けられているため、サイドガイド７７がスライドされる際に、摩擦抵抗が発生する部分がスライド板１０１と第１リブ１２４との当接部分に限定されるため、発生する摩擦抵抗を低く抑えることができる。
【００７５】
また、上述の実施形態においては以下の効果も奏する。操作部１０３が形成された右側のサイドガイド７７を左向きにスライドさせる場合に、操作部１０３が上側から操作されると、サイドガイド７７の操作部１０３側は、レール溝１２１を中心として、スライド向き、すなわち左向きに回動するおそれがある。サイドガイド７７の操作部１０３側がスライド向きに回動すると、スライド板１０１の下面におけるスライド向きの先端部分が、載置面７６から立設された第１リブ１２４に押しつけられる。しかし、上述の実施形態においては、当該先端部分には傾斜部１１０が形成されている。これにより、サイドガイド７７が回動した際に、当該先端部分、つまり傾斜部１１０は、その全てが同時に第１リブ１２４に押しつけられるのではなく、後端１１１から前端１１２への順序或いは前端１１２から後端１１１への順序で第１リブ１２４に押しつけられる。詳細には、サイドガイド７７が回動する初期段階では傾斜部１１０の一部のみが第１リブ１２４に押しつけられ、その後、第１リブ１２４に押しつけられる範囲が増大していく。よって、サイドガイド７７がスライドされる際に、摩擦抵抗が発生する範囲が小さくなり、記録用紙５０の幅方向（左右方向９）に沿ってスムーズに移動させることができる。
【００７６】
また、上述の実施形態においては以下の効果も奏する。底板７５に第１リブ１２４のみが備えられている場合、第１リブ１２４に当接されているスライド板１０１は、支点が一つであるために不安定となる。これにより、スライド板１０１の下面は、第１リブ１２４以外の箇所において、載置面７６に当接してしまうおそれがある。しかし、上述の実施形態においては、第１リブ１２４に加えて第２リブ１２５を備えているため、二つの支点でスライド板１０１を安定して支持することができる。また、第２リブ１２５は、第１リブ１２４よりもレール溝１２１、１２２側（後側）において左右方向９に延設されている。このため、スライド板１０１は、第１リブ１２４に加えて、回動方向のネジレの中心となるレール溝１２１、１２２に近い第２リブ１２５に支持されることになり、より安定性が増す。また、追加するリブが第２リブ１２５のみで最小限に抑えられているため、サイドガイド７７がスライドされる際に、摩擦抵抗が発生する範囲を小さくことができる。
【００７７】
また、上述の実施形態においては以下の効果も奏する。スライド板１０１は、第１リブ１２４及び第２リブ１２５によって支持されている場合、第１リブ１２４及び第２リブ１２５を支点として弓状に変形するおそれがある。この場合、スライド板１０１は、第１リブ１２４と第２リブ１２５の間において、その下面が載置面７６に当接するおそれがある。しかし、上述の実施形態においては、第１リブ１２４及び第２リブ１２５の高さに差がある。これにより、スライド板１０１が弓状に変形した場合に、スライド板１０１の下面が載置面７６に当接する面積を、第１リブ１２４及び第２リブ１２５の高さに差がない場合よりも、小さくすることができる。
【００７８】
また、上述の実施形態のように、一対のサイドガイド７７を有し、記録用紙５０の幅方向（左右方向９）の中心を給紙トレイ２２の幅方向（左右方向９）の中心と合わせる構成の給紙トレイ２２においても、サイドガイド７７がスライドされる際に、スライド板１０１と載置面７６との間に発生する摩擦抵抗を低く抑えることができる。
【００７９】
また、第２リブ１２５が表示部１２３と兼用されていることにより、載置面７６に、第１リブ１２４及び第２リブ１２５とは別個に表示部１２３を形成する必要がなくなる。なお、本実施形態において第１リブ１２４は表示部１２３と兼用されていないが、第１リブ１２４が表示部１２３と兼用されても第２リブ１２５の場合と同様の効果を奏する。
【００８０】
また、上述の実施形態においては、操作部１０３の下面には底板７５に係合するロック部が形成されており、ユーザは、サイドガイド７７を移動するために、ロック部が底板７５から離間するように操作部１０３を操作する。その結果、操作部１０３が形成されているスライド板１０１の右端１１４側に対して左端側が載置面７６やリブ１２４、１２５に押しつけられる。従って、左端側に傾斜部１１０を形成することで、円滑にサイドガイドを移動させることが可能となる。
【００８１】
なお、第１リブ１２４は、本実施例のように操作部１０３が形成された領域の中間位置でなく、前後方向８において、操作部１０３が形成された領域に形成されれば良い。
【００８２】
［実施形態の変形例］
上述の実施形態において、第１リブ１２４及び第２リブ１２５が、左右方向９に沿って延設されている構成について説明したが、第１リブ１２４及び第２リブ１２５の延設方向は、左右方向９に限らない。
【００８３】
図６（Ａ）に示されるように、変形例において、右側のサイドガイド７７と当接している第１リブ１２４及び第２リブ１２５の延設方向は、左右方向９に対して、右側のサイドガイド７７から離間する程、後方となる方向（本発明の第３方向及び第４方向に相当）に傾斜している。これにより、変形例の場合（図６（Ａ）参照）における第１リブ１２４及び第２リブ１２５と傾斜部１１０とがなす交差角度の鋭角側の角θ２と鈍角側の角θ１との角度差は、上述の実施形態の場合（図６（Ｂ）参照）における第１リブ１２４及び第２リブ１２５（左右方向９）と傾斜部１１０とがなす交差角度の鋭角側の角θ４と鈍角側の角θ３との角度差よりも大きい。
【００８４】
なお、第１リブ１２４及び第２リブ１２５が左側のサイドガイド７７と当接している場合の延設方向が、左右方向９に対して、左側のサイドガイド７７から離間する程、後方となる方向に傾斜していてもよい。また、図６（Ｂ）は第３方向と第４方向が同一方向である場合が示されているが、第３方向と第４方向は、全く同一の方向である必要はなく、相互に異なる方向であってもよい。
【００８５】
変形例においては、第１リブ１２４及び第２リブ１２５と傾斜部１１０との交差角度の鋭角側の角度が小さい。これにより、サイドガイド７７がスライドされる際に、第１リブ１２４及び第２リブ１２５と傾斜部１１０との間に生じる摩擦抵抗を小さくすることができる。
【００８６】
このほか、第１リブ１２４の底板７５からの立設高さと、第２リブ１２５の底板７５からの立設高さとは、同じに設定されていても良いし、それぞれのリブは、左右方向９において変化しても良い。すなわち、第１リブ１２４や第２リブ１２５は、左右方向９における中央ほど低く、端部に向かうほど高くなっても良い。また、その側断面は、記録用紙５０が収容される際に引っかからないよう、三角形状や円弧形状となっていても良い。さらに、第２リブ１２５が形成されず、第１リブ１２４のみ底板７５に形成されていても良い。
【符号の説明】
【００８７】
１０：複合機
１１：プリンタ部
２１：給紙トレイ
２２：給紙トレイ
７５：底板
４０：記録部
７７：サイドガイド
１０１：スライド板
１０２：側板
１０３：操作部
１０５：レール
１１０：傾斜部
１２１：レール溝
１２２：レール溝
１２４：第１リブ
１２５：第２リブ
【図１】
0005569170.tif 000002
【図２】
0005569170.tif 000003
【図３】
0005569170.tif 000004
【図４】
0005569170.tif 000005
【図５】
0005569170.tif 000006
【図６】
0005569170.tif 000007